(57)【要約】【課題】従来の畜舎においては、畜舎の長手方向に区画した多数の畜舎部屋の天井面に、一定の領域を一単位とし、ファンを紐等で吊下し、各畜舎部屋の上方より、複数の家畜の背面から、全体的かつ所定の領域で総括的に送風する方法であり、家畜への個別かつ効率的な送風が期待できない。また単に畜舎内の空気を送風及び／又は撹拌することから、外気の導入を介して空冷又は換気を図ることは不可能であり、改良の余地がある。【構成】本発明は、畜舎を多数の畜舎部屋とし、畜舎部屋の天井面に多数の透孔付きダクトを配備し、ダクトの基端にファンを設け、畜舎の妻面に開口する隙間に設置したファンで外気を吸込み、吸込み空気を、ダクトの下面であって、かつ各畜舎部屋の上方において開口した透孔を利用し、各畜舎部屋の上方より、家畜の背中に向って吹降ろす構成とした畜舎における送風方法である。家畜に効率的、かつ飼育に最適な送風ができる。【選択図】図１
2007330231.tif 000002
【特許請求の範囲】
【請求項１】
牛舎、豚舎等の畜舎（畜舎）において、この畜舎の棟方向（長手方向）に多数の畜舎部屋を区画形成し、この畜舎部屋の天井面に多数の透孔を備えたビニール風管等のダクトを配備し、このダクトの基端にファンを設けた構成の畜舎における送風方法であって、
この送風方法は、前記畜舎の妻面に開口する隙間に設置した前記ファンを利用して外気を吸込み、この吸込み空気（外気）を、前記ダクトの下面であって、かつ各畜舎部屋の上方において開口した透孔を利用し、この各畜舎部屋の上方より、家畜の背中に向って吹降ろす構成とした畜舎における送風方法。
【請求項２】
請求項１に記載の畜舎における送風方法において、そのダクトの透孔から家畜の頸部近傍に向って吹降ろす構成とし、このダクトを、建屋の天井の所定の位置に吊下する構成とした畜舎における送風方法。
【請求項３】
請求項１に記載の畜舎における送風方法において、そのファン及び／又はダクトを、この建屋の妻面方向（短手方向）に移動可能とし、前記各畜舎部屋の上方より、家畜の胴体及び／又は頸部の適所に向って吹降ろす構成とし、この吹降ろし位置を時宜により、変更可能とする構成とした畜舎における送風方法。
【請求項４】
牛舎、豚舎等の畜舎において、この畜舎の棟方向に多数の畜舎部屋を区画形成し、この畜舎部屋の天井面に多数の透孔を備えたビニール風管等のダクトを配備し、このダクトの基端にファンを設けた構成の畜舎における送風装置であって、
この送風装置は、前記畜舎の妻面に開口する隙間を形成し、この隙間に前記ファンを付設し、このファンに着脱自在にダクトを連設し、またこのダクトに開口する透孔を、このダクトの下面で、かつ前記各畜舎部屋の上方に位置する構成とし、
この構成を介してダクトに吸込んだ外気を、前記各畜舎部屋の上方より、家畜の背中及び／又は頸部近傍に向って吹降ろす構成とした畜舎における送風装置。
【請求項５】
請求項４に記載の畜舎における送風装置において、そのファンを間欠的に駆動可能とすること、及び／又は、ダクトの透孔を適宜開閉可能とし、このダクトから吹降ろす外気を、必要とする前記各畜舎部屋の上方より、家畜の背中及び／又は頸部の適所に向って吹降ろす構成とした畜舎における送風装置。
【請求項６】
請求項４に記載の畜舎における送風装置において、そのファンの間欠的な駆動及び／又はダクトの透孔の開閉を、制御手段を介して調整する構成とした畜舎における送風装置。
【発明の詳細な説明】
【技術分野】
【０００１】
本発明は、畜舎における送風方法と、この畜舎における送風装置に関する。
【背景技術】
【０００２】
従来の牛舎、豚舎等の畜舎（畜舎）において実施されている構造（送風方法）を、図１３、図１４に示したので、この送風方法を説明する。この畜舎の長手方向に多数の畜舎部屋を区画形成し、この各畜舎部屋の天井面に、一定の領域を一単位とし、ファン（送風扇）を紐等の吊下げ方法を介して吊下し、各畜舎部屋の上方より、複数の家畜の背面から、全体的かつ所定の領域で総括的に送風する方法であり、家畜への個別かつ効率的な送風が期待できないと云われている。また従来は、この畜舎内に設置した送風扇で、該畜舎内の一定の領域に対し、送風と撹拌とを図る方法であるので、単に畜舎内の空気を送風及び／又は撹拌することから、外気の導入を介して空冷又は換気を図ることは不可能であり、改良の余地がある。
【０００３】
そして、各家畜に個別に、適宜調整して、上方から吹降ろす構成ではないので、家畜の成長の向上と、疾病の減少化、又は乳牛では、乳の搾り量の向上、さらに肉牛（豚、鶏）では肉質の向上が図れない問題点がある。
【０００４】
また従来の畜舎内の一定の領域を一単位とし、ファンを紐等の吊下げ方法を介して吊下する構成では、畜舎の形態（内部景観）が煩雑となること、その据付に手間と経験を要すること等の問題点を抱えている。殊に、送風扇を紐、番線等の吊下げ手段を介して吊下する方法であり、この吊下げに手間及び／又は熟練を要すること等の如く、設置に対して改良すべき問題点を抱えている。
【０００５】
この図１３、図１４において示した従来の送風方法における問題点を解決するための一例として、先行文献を列挙すると、次の文献（１）と、文献（２）を挙げることができる。そこで、前述の問題点を解決することを視野に入れて、この文献（１）と、文献（２）の構成及び効果を説明する。
【０００６】
先ず、文献（１）は、特開平８−２９４３３９の「送風用空気ダクト」であって、空気ダクトに関するものであり、その要旨は、鶏舎の上方に配備され、かつ鶏舎のケージ列の長手方向に配置する布地又はプラスチック・フィルムダクトであって、このダクトは、両端部に送風ファンを備えており、このダクトの下方に開設した多数の開口、又はノズルを介して鶏舎の下方に送風することで、この鶏舎の換気と、鶏糞の乾燥を図ることを意図する。
【０００７】
次に、文献（２）は、特開平９−１３５６４８の「冷房設備を有する鶏舎」であって、鶏糞の乾燥を意図した冷房装置を有する鶏舎に関するものであり、その要旨は、細長い飼育ブロックを配設した鶏舎において、外気を吸入する吸入路と、室内空気を排気する排気路とを開口し、この吸入路に冷水フィルターを配設し、この冷水フィルターを備えた吸込路を介して冷却した外気を建物内に流入し、そして、前記飼育ブロックと建物床との間に糞乾燥チャンバーを設け、この糞乾燥チャンバーに鶏糞を水平方向に移送しながら乾燥する糞乾燥コンベアを多段に配設する構成であって、この建屋内の経済性な冷房と、またこの鶏糞の効率的な乾燥を図ることを意図する。
【０００８】
【特許文献１】特開平８−２９４３３９
【特許文献２】特開平９−１３５６４８
【発明の開示】
【発明が解決しようとする課題】
【０００９】
文献（１）は、両端にファンを備えたダクトを、単に鶏舎の上方に配備し、かつ鶏舎のケージ列の長手方向に配置する構成である。しかし、この構成の如く、ファンを対峙して配備し、ダクトの両端より外気を吸込んだ場合には、外気のスムーズな流れが保証されないと考えられる。そして、この構成の如く、ダクトの開口より、吸込み空気（外気とする）を、できる限り等しく吹降ろすことに関し、改良すべき点が考えられる。尚、この文献（１）は、鶏舎部屋に飼育している鶏に対する外気の供給と、この外気の利点、例えば、鶏舎の空冷、新鮮な空気の供給、汚染の稀釈化等を考えた場合に、この発明では、充分に対応できない問題点が考えられる。
【００１０】
また文献（２）は、外気を吸込口より糞乾燥チャンバー内に導き、この糞乾燥チャンバーの空気を排気口から鶏舎外に排気する構成であり、糞の乾燥と、鶏舎の冷房を図る構成である。しかし、この発明は、糞乾燥チャンバーを鶏舎の床面に設ける構成であるので、鶏舎のスペースが無駄となること、建築費が嵩むこと等の経済性の悪化が考えられること、また作業面での困難性もあり得ることから、日常の業務に支障が発生することが考えられる。さらにこの文献（２）の糞乾燥チャンバーは、鶏舎の床面に設ける構成であって、この鶏舎に固定的に設置される。従って、前記文献（１）と同様な問題点、例えば、外気の供給、外気の利点を充分活用していないこと等の改良点が考えられる。
【課題を解決するための手段】
【００１１】
請求項１の発明は、各畜舎部屋の上方に配備したダクトの透孔より、家畜の背中及び／又は頸部に向って吹降ろす構成であり、家畜に刺激を与えることなく送風が可能となること、家畜の成長の向上と、疾病の減少化、又は乳牛では、乳の搾り量の向上を、さらにその他、例えば、肉牛（豚、鶏）では肉質の向上を図ること等を意図する。また請求項１の発明は、畜舎への設置の容易化、簡便化等を図り、かつ経済的に有効な送風方法を提供すること等を意図する。さらに請求項１の発明は、上方から各家畜に個別に、適宜調整して、吹降ろしを図る構成であり、糞による細菌の蔓延を封じ込むことで、病気の発生防止と、衛生的な飼育環境を確保すること等を意図する。尚、請求項１の発明は、天井面の所定の箇所に吊下する構成と、直線的にダクトを配する構成を採用し、畜舎の形態の単純化、空間の有効利用を図ること、清掃の容易化を図ること等を意図する。
【００１２】
請求項１は、牛舎、豚舎等の畜舎（畜舎）において、この畜舎の棟方向（長手方向）に多数の畜舎部屋を区画形成し、この畜舎部屋の天井面に多数の透孔を備えたビニール風管等のダクトを配備し、このダクトの基端にファンを設けた構成の畜舎における送風方法であって、
この送風方法は、前記畜舎の妻面に開口する隙間に設置した前記ファンを利用して外気を吸込み、この吸込み空気（外気）を、前記ダクトの下面であって、かつ各畜舎部屋の上方において開口した透孔を利用し、この各畜舎部屋の上方より、家畜の背中に向って吹降ろす構成とした畜舎における送風方法である。
【００１３】
請求項２の発明は、請求項１の目的を達成すること、この目的を達成するのに最適なダクトの設置箇所の提供及び／又は吹降ろし送風を達成すること等を意図する。
【００１４】
請求項２は、請求項１に記載の畜舎における送風方法において、そのダクトの透孔から家畜の頸部近傍に向って吹降ろす構成とし、このダクトを、建屋の天井の所定の位置に吊下する構成とした畜舎における送風方法である。
【００１５】
請求項３の発明は、請求項１の目的を達成すること、この目的を達成するのに最適なダクトの設置箇所の提供及び／又は水平方向において、その吹降ろし送風を、適宜選択可能とすること等を意図する。
【００１６】
請求項３は、請求項１に記載の畜舎における送風方法において、そのファン及び／又はダクトを、この建屋の妻面方向（短手方向）に移動可能とし、前記各畜舎部屋の上方より、家畜の胴体及び／又は頸部の適所に向って吹降ろす構成とし、この吹降ろし位置を時宜により、変更可能とする構成とした畜舎における送風方法である。
【００１７】
請求項４の発明は、請求項１の目的を達成可能な畜舎の送風装置を提供することを意図する。
【００１８】
請求項４は、牛舎、豚舎等の畜舎において、この畜舎の棟方向に多数の畜舎部屋を区画形成し、この畜舎部屋の天井面に多数の透孔を備えたビニール風管等のダクトを配備し、このダクトの基端にファンを設けた構成の畜舎における送風装置であって、
この送風装置は、前記畜舎の妻面に開口する隙間を形成し、この隙間に前記ファンを付設し、このファンに着脱自在にダクトを連設し、またこのダクトに開口する透孔を、このダクトの下面で、かつ前記各畜舎部屋の上方に位置する構成とし、
この構成を介してダクトに吸込んだ外気を、前記各畜舎部屋の上方より、家畜の背中及び／又は頸部近傍に向って吹降ろす構成とした畜舎における送風装置である。
【００１９】
請求項５・６の発明は、請求項４の目的を達成すること、この目的を達成するのに最適なファン及び／又はダクトの構造を提供すること等を意図する。
【００２０】
請求項５は、請求項４に記載の畜舎における送風装置において、そのファンを間欠的に駆動可能とすること、及び／又は、ダクトの透孔を適宜開閉可能とし、このダクトから吹降ろす外気を、必要とする前記各畜舎部屋の上方より、家畜の背中及び／又は頸部の適所に向って吹降ろす構成とした畜舎における送風装置である。
【００２１】
請求項６は、請求項４に記載の畜舎における送風装置において、そのファンの間欠的な駆動及び／又はダクトの透孔の開閉を、制御手段を介して調整する構成とした畜舎における送風装置である。
【発明の効果】
【００２２】
請求項１の発明は、牛舎、豚舎等の畜舎（畜舎）において、畜舎の棟方向（長手方向）に多数の畜舎部屋を区画形成し、畜舎部屋の天井面に多数の透孔を備えたビニール風管等のダクトを配備し、ダクトの基端にファンを設けた構成の畜舎における送風方法であって、
送風方法は、畜舎の妻面に開口する隙間に設置したファンを利用して外気を吸込み、吸込み空気（外気）を、ダクトの下面であって、かつ各畜舎部屋の上方において開口した透孔を利用し、各畜舎部屋の上方より、家畜の背中に向って吹降ろす構成とした畜舎における送風方法である。
【００２３】
従って、請求項１は、各畜舎部屋の上方に配備したダクトの透孔より、家畜の背中及び／又は頸部に向って吹降ろす構成であり、家畜に刺激を与えることなく送風が可能であること、家畜の成長の向上と、疾病の減少化、又は乳牛では、乳の搾り量の向上、さらにその他、例えば、肉牛（豚、鶏）では肉質の向上を図れること等の特徴がある。また請求項１は、畜舎への設置の容易化、簡便化等が図れ、かつ経済的に有効な送風方法を提供できること等の利点がある。さらに請求項１は、上方から各家畜に個別に、適宜調整して、吹降ろしを図る構成であり、糞による細菌の蔓延を封じ込むことで、病気の発生防止と、衛生的な飼育環境が確保できること等の特徴がある。そして、請求項１は、天井面の所定の箇所に吊下する構成と、直線的にダクトを配する構成を採用し、畜舎の形態の単純化、空間の有効利用を図ること、清掃の容易化が図れること等の実用性を有する。
【００２４】
請求項２の発明は、請求項１に記載の畜舎における送風方法において、ダクトの透孔から家畜の頸部近傍に向って吹降ろす構成とし、ダクトを、建屋の天井の所定の位置に吊下する構成とした畜舎における送風方法である。
【００２５】
従って、請求項２は、請求項１の目的を達成できること、この目的を達成するのに最適なダクトの設置箇所の提供及び／又は吹降ろし送風を達成できること等の特徴を有する。
【００２６】
請求項３の発明は、請求項１に記載の畜舎における送風方法において、ファン及び／又はダクトを、建屋の妻面方向（短手方向）に移動可能とし、各畜舎部屋の上方より、家畜の胴体及び／又は頸部の適所に向って吹降ろす構成とし、吹降ろし位置を時宜により、変更可能とする構成とした畜舎における送風方法である。
【００２７】
従って、請求項３は、請求項１の目的を達成できること、この目的を達成するのに最適なダクトの設置箇所の提供及び／又は水平方向において、その吹降ろし送風が、適宜選択可能となること等の特徴を有する。
【００２８】
請求項４の発明は、牛舎、豚舎等の畜舎において、畜舎の棟方向に多数の畜舎部屋を区画形成し、畜舎部屋の天井面に多数の透孔を備えたビニール風管等のダクトを配備し、ダクトの基端にファンを設けた構成の畜舎における送風装置であって、
送風装置は、畜舎の妻面に開口する隙間を形成し、隙間にファンを付設し、ファンに着脱自在にダクトを連設し、またダクトに開口する透孔を、ダクトの下面で、かつ各畜舎部屋の上方に位置する構成とし、
この構成を介してダクトに吸込んだ外気を、各畜舎部屋の上方より、家畜の背中及び／又は頸部近傍に向って吹降ろす構成とした畜舎における送風装置である。
【００２９】
従って、請求項４は、請求項１の目的を達成可能な畜舎の送風装置を提供できる特徴を有する。
【００３０】
請求項５の発明は、請求項４に記載の畜舎における送風装置において、ファンを間欠的に駆動可能とすること、及び／又は、ダクトの透孔を適宜開閉可能とし、ダクトから吹降ろす外気を、必要とする各畜舎部屋の上方より、家畜の背中及び／又は頸部の適所に向って吹降ろす構成とした畜舎における送風装置である。
【００３１】
請求項６の発明は、請求項４に記載の畜舎における送風装置において、ファンの間欠的な駆動及び／又はダクトの透孔の開閉を、制御手段を介して調整する構成とした畜舎における送風装置である。
【００３２】
従って、請求項５・６は、請求項４の目的を達成できること、この目的を達成するのに最適なファン及び／又はダクトの構造を提供できること等の特徴を有する。
【発明を実施するための最良の形態】
【００３３】
本発明の一例を説明する。
【００３４】
先ず、図面の説明をすると、図１は牛舎、豚舎、鶏舎等の畜舎（畜舎）の一例を示した俯瞰図、図２は図１の側面図、図３は図１の正面図、図４はファン（送風機）の第１の例を示した正面図、図５は図４の平面図、図６は図４の右側面図、図７は図４の左側面図、図８は図４の整流翼の第１の例を示した正面図、図９は図４の整流翼の第２の例を示した正面図、図１０は図４の整流翼の第３の例を示した正面図である。
【００３５】
また図１１−１〜図１１−５は、ファンの吹出口とダクト（ビニール風管）の取付け方の各例を示した要部断面図であり、図１１−１は、吹出口に折返しを設けた一例を、図１１−２は、吹出口にカール（巻絞り）を設けた一例を、図１１−３は、吹出口にダクトの取付けパーツを設けた一例を、図１１−４は、吹出口にダクトの他の取付けパーツを設けた一例を、図１１−５は、吹出口にダクトのさらに他の取付けパーツを設けた一例を、それぞれ示しているが、ダクトの簡易な取付けと、このダクトの抜け防止、また風のスムーズな流れを確保すること等を意図する。
【００３６】
そして、図１２は図１１−１に示したファンの吹出口とダクトとの関係を拡大して示した要部断面図である。
【００３７】
尚、図１３は従来の牛舎、豚舎、鶏舎等の畜舎（畜舎）の一例を示した俯瞰図、図１４は図１３の側面図である。
【００３８】
以下、本発明の一実施例を説明すると、１は牛舎、豚舎、鶏舎等の畜舎（畜舎）で、この畜舎１の棟方向１ａ（長手方向）には、多数の畜舎部屋１００、１００、・・・・・・・・・・（原則として、１００とする）を区画形成する。そして、この畜舎部屋１００の天井面１０１、１０１、・・・・・・・・・・（原則として、１０１とする）に多数の透孔２００を備えたビニール風管等のダクト２を配備する。そして、このダクト２の基端２ａには、畜舎１の妻面方向（短手方向）１ｂに開口１０３する隙間１０３ａに設置したファン３が接続される。
【００３９】
このような構成において、その送風方法は、畜舎１の妻面１０２に設置したファン３を利用して外気Ａを吸込み、吸込み空気Ａ１（外気）を、ダクト２の下面であって、かつ各畜舎部屋１００の上方において開口した透孔２００を利用し、各畜舎部屋１００の上方より、家畜Ｃ（主として、乳牛）の背中Ｃ１に向って吹降ろす構成とした畜舎１における送風方法である。
【００４０】
この送風方法において、ダクト２が天井面１０１から家畜Ｃの背中Ｃ１に向って吹降ろす構成であり、この家畜Ｃに急激な刺激を与えず、かつ心地良い刺激となり、例えば、家畜Ｃの成長の向上と、疾病の減少化、又は乳牛では、図示したような、スポット的な送風を介して乳の搾り量の向上が図れる。そして、またその他、例えば、肉牛（豚、鶏）では、図示しないが、広角方向の送風を介して肉質の向上が図れる。尚、この広角方向の送風の一例として、ダクト２を分岐させて、多方向に送風することも可能である。さらにスポット的な送風及び／又は上方からの吹降ろし構成を採用することで、糞による細菌の蔓延を封じ込むことができるので、家畜Ｃの病気の発生防止と、家畜Ｃの衛生的な飼育環境が確保できること等の特徴があり得る。尚、この畜舎部屋１００の天井面１０１にダクト２を設置する構成であり、例えば、畜舎１への設置の容易化、簡便化等が図れること、又は経済的に有効な送風装置及び／又は送風方法を提供できる。さらにファン３及び／又はダクト２は、妻面方向（短手方向）１ｂの方向に向って、移動する構成も可能であり、例えば、家畜Ｃの成育・飼育等の状態、吹降ろし箇所・吹降ろし方向の多様化を考慮して、変更する。この変更する一例を説明すると、後述する支持杆と、この支持杆を支持する板材（梁）と、この板材に開設した長孔との組合せの構成とし、この支持杆の移動で調整する方法でダクト２のみを移動（曲折を含む）する構成と、この移動に、ファン３の妻面方向（短手方向）１ｂへの移動を付加する構成等が考えられる。いずれにしても、畜舎１の構成、発明の目的等を考慮して決定する。
【００４１】
尚、ダクト２の透孔２００を複数個、畜舎１の妻面方向（短手方向）１ｂに併設する構成とすれば、頸部Ｃ２と背中Ｃ等の如く、複数に吹降ろすことが可能となり、有効であり、かつ前述の効果を達成できる特徴がある。勿論、尻側Ｃ３への吹降ろしも可能であり、原則として、吹降ろし箇所は、一個から複数個可能であり、家畜Ｃの成育と、成長環境、又は飼育環境、気候等を考慮して適宜変更する。
【００４２】
また、その他の実施例としては、このダクト２への外気Ａの吸込み及び／又は吸込み量の調整と、透孔２００の全体及び／又は個別における吹降ろし等の調整を、図示しない制御手段を利用して制御することも可能である。そして、この制御手段は、前述と同様に、家畜Ｃの成育と、成長環境、又は飼育環境、気候等を考慮して適宜採用する。
【００４３】
前述した妻面１０２に取付けられるファン３の好ましい一例と、このファン３とダクト２との関係を説明する。このファン３は、開口を有するベルマウス３００ａを備えた取付け枠体３００（妻面１０２の躯体に取付けられる）と、この取付け枠体３００に一端が固止された支持杆３０１と、この支持杆３０１の他端に設けたモータ３０２と、このモータ３０２の出力軸３０２ａに設けた羽根車３０３と、前記取付け枠体３００の一方側（反ファン側）に設けたダクト取付け兼送風開口となる吹出口３０４と、この吹出口３０４に設けたダクト２取付け用の係止手段３０５と、同じく必要により設ける吹出口３０４に設けた整流翼３０６とで構成されている。そして、前述の如く、畜舎１の妻面１０２の躯体（開口枠体）に、前記取付け枠体３００を嵌入及び／又は取付け、望ましくは、畜舎１の天井面１０１の近傍に取付ける。これによって、畜舎部屋１００の天井より家畜Ｃに向かって吸込み空気Ａ１を吹降ろす構成である。その吹降ろし方法は、前述のとおりである。
【００４４】
またダクト２の吹出口３０４の簡易な取付けと、このダクト２の吹出口３０４からの抜け防止、又は吹出口３０４からダクト２への風のスムーズな流れを確保する構成が、このダクト２と吹出口３０４に設けられているので、その一例を説明する。即ち、この吹出口３０４には、ダクト２係止用の係止手段３０５が設けられている。この係止手段３０５は、図１１−１〜図１１−５に示した各例があり、以下に説明する。先ず、図１１−１は、吹出口３０４に折返し３０４−１を設け、この折返し３０４−１に緊締具（図示せず）を介してダクト２を係止する。図１１−２は、吹出口３０４にカール（巻絞り）３０４−２を設け、このカール（巻絞り）３０４−２に緊締具を介してダクト２を係止する。図１１−３は、吹出口３０４にダクト２の嵌合レール３０４−３を設け、この嵌合レール３０４−３に緊締具を介してダクト２を係止する。図１１−４は、吹出口３０４に複合嵌合レール３０４−４を設け、この複合嵌合レール３０４−４に緊締具を介してダクト２を係止する。図１１−５は、吹出口３０４に図１１−４（図１１−３）に示した複合嵌合レール３０４−４（嵌合レール３０４−３）を対で設け、この複合嵌合レール３０４−４（嵌合レール３０４−３）に各緊締具を介してダクト２を係止する。これらの係止手段３０５は、製造の簡便な例として、一体構造が考えられる折返し３０４−１と、カール（巻絞り）３０４−２とがあり、また引抜き製造が可能な嵌合レール３０４−３と、複合嵌合レール３０４−４とがあり、又強固な係止は、前記嵌合レール３０４−３と、複合嵌合レール３０４−４とがあり、さらに取付け、取外しの容易性は、前記各例があり、それぞれ取付け条件、合理性等を考慮して決定する。
【００４５】
そして、図示しないが、ファン３は、畜舎１の家畜Ｃ頭数、生育・健康等の状態、また気候、畜舎１の環境等を考慮して、自動制御することも可能であり、ファン３とダクト２を、妻面方向（短手方向）１ｂ及び／又は地上と天井面１０１間に移動可能とし、前述の各種の条件に対応することも可能である。
【図面の簡単な説明】
【００４６】
【図１】図１は牛舎、豚舎、鶏舎等の畜舎（畜舎）の一例を示した俯瞰図
【図２】図２は図１の側面図
【図３】図３は図１の正面図
【図４】図４はファン（送風機）の第１の例を示した正面図
【図５】図５は図４の平面図
【図６】図６は図４の右側面図
【図７】図７は図４の左側面図
【図８】図８は図４の整流翼の第１の例を示した正面図
【図９】図９は図４の整流翼の第２の例を示した正面図
【図１０】図１０は図４の整流翼の第３の例を示した正面図
【図１１−１】図１１−１は、ファンの吹出口に折返しを設けた一例の要部断面図
【図１１−２】図１１−２は、ファンの吹出口にカール（巻絞り）を設けた一例の要部断面図
【図１１−３】図１１−３は、ファンの吹出口にダクトの取付けパーツを設けた一例の要部断面図
【図１１−４】図１１−４は、ファンの吹出口にダクトの他の取付けパーツを設けた一例の要部断面図
【図１１−５】図１１−５は、ファンの吹出口にダクトのさらに他の取付けパーツを設けた一例の要部断面図
【図１２】図１２は図１１−１に示したファンの吹出口とダクトとの関係を拡大して示した要部断面図
【図１３】図１３は従来の牛舎、豚舎、鶏舎等の畜舎（畜舎）の一例を示した俯瞰図
【図１４】図１４は図１３の側面図
【符号の説明】
【００４７】
１                畜舎
１ａ              棟方向（長手方向）
１ｂ              妻面方向（短手方向）
１００            畜舎部屋
１０１            天井面
１０２            妻面
１０３            開口
１０３ａ          隙間
２                ダクト
２ａ              基端
２００            透孔
３                ファン
３００            取付け枠体
３００ａ          ベルマウス
３０１            支持杆
３０２            モータ
３０２ａ          出力軸
３０３            羽根車
３０４            吹出口
３０４−１        折返し
３０４−２        カール（巻絞り）
３０４−３        嵌合レール
３０４−４        複合嵌合レール
３０５            係止手段
３０６            整流翼
Ａ                外気
Ａ１              吸込み空気
Ｃ                家畜
Ｃ１              背中
Ｃ２              頸部
Ｃ３              尻側
【図１】
2007330231.tif 000003
【図２】
2007330231.tif 000004
【図３】
2007330231.tif 000005
【図４】
2007330231.tif 000006
【図５】
2007330231.tif 000007
【図６】
2007330231.tif 000008
【図７】
2007330231.tif 000009
【図８】
2007330231.tif 000010
【図９】
2007330231.tif 000011
【図１０】
2007330231.tif 000012
【図１１−１】
2007330231.tif 000013
【図１１−２】
2007330231.tif 000014
【図１１−３】
2007330231.tif 000015
【図１１−４】
2007330231.tif 000016
【図１１−５】
2007330231.tif 000017
【図１２】
2007330231.tif 000018
【図１３】
2007330231.tif 000019
【図１４】
2007330231.tif 000020